(57)【特許請求の範囲】
【請求項１】
レンズ鏡筒の先端に取り付けるレンズフードの取付構造において、
先端部外周に段部が形成されるとともに、先端部内周に爪が形成され、前記レンズ鏡筒に取り付けられる取付リングと、
基端部内周にフランジが形成され、該フランジ部を前記段部に嵌めて、前記取付リングの先端に装着されるフードと、
基端部外周にフランジが形成されるとともに、先端部外周に爪が形成され、かつ、先端部周面に軸線方向に沿って多数のスリットが形成されて、先端部が中心方向に弾性変形可能に形成された押さえ環であって、前記取付リングに装着された前記フードの内側から前記取付リングに向けて挿入することにより、先端部外周に形成された前記爪が前記取付リングの先端部内周に形成された前記爪に係合するとともに、基端部外周に形成された前記フランジが前記フードの基端部内周に形成された前記フランジに係合して、前記フードを前記取付リングに固定する押さえ環と、
からなることを特徴とするレンズフードの取付構造。
【請求項２】
前記フードの基端部端面と、前記取付リングに形成された前記段部の端面とには、前記フードを前記レンズ鏡筒に対して位置決めする位置決め手段が形成されることを特徴とする請求項１記載のレンズフードの取付構造。
【請求項３】
前記取付リングは、前記レンズ鏡筒の先端にバヨネット連結機構により取り付けられることを特徴とする請求項１記載のレンズフードの取付構造。
【発明の詳細な説明】
【０００１】
【発明の属する技術分野】
本発明はレンズフードの取付構造に係り、特にカメラのレンズ鏡筒の先端に取り付けるレンズフードの取付構造に関する。
【０００２】
【従来の技術】
カメラのレンズには、その先端部に遮光用、レンズ保護用あるいはデザイン用などのためにレンズフードを取り付ける場合がある。このレンズフードは、特開平６−３０１０８０号公報に開示されているように、ゴムフードと、そのゴムフードをレンズ鏡筒に取り付けるための取付リング、及び取付リングをレンズ鏡筒に固定するための固定用ツマミから構成されている。この従来のレンズフードは、ゴムフードと取付リングとを接着剤で固定してレンズフードアッセンブリを構成し、このレンズフードアッセンブリを固定用ツマミを用いてレンズ鏡筒の先端に取り付けている。
【０００３】
【発明が解決しようとする課題】
しかしながら、ゴムフードと取付リングを接着剤で固定すると、多大な組立工数がかかり、コストが高くなるという欠点がある。
本発明はこのような事情に鑑みてなされたもので、簡単に組み立てることができるレンズフードの取付構造を提供することを目的とする。
【０００４】
【課題を解決するための手段】
本発明は前記目的を達成するために、レンズ鏡筒の先端に取り付けるレンズフードの取付構造において、先端部外周に段部が形成されるとともに、先端部内周に爪が形成され、前記レンズ鏡筒に取り付けられる取付リングと、基端部内周にフランジが形成され、該フランジ部を前記段部に嵌めて、前記取付リングの先端に装着されるフードと、基端部外周にフランジが形成されるとともに、先端部外周に爪が形成され、かつ、先端部周面に軸線方向に沿って多数のスリットが形成されて、先端部が中心方向に弾性変形可能に形成された押さえ環であって、前記取付リングに装着された前記フードの内側から前記取付リングに向けて挿入することにより、先端部外周に形成された前記爪が前記取付リングの先端部内周に形成された前記爪に係合するとともに、基端部外周に形成された前記フランジが前記フードの基端部内周に形成された前記フランジに係合して、前記フードを前記取付リングに固定する押さえ環と、からなることを特徴とする。
【０００５】
本発明によれば、フードを取付リングに取り付ける場合は、まず、フードを取付リングの先端に装着する。次いで、そのフードの内側から取付リングに向けて押さえ環を挿入する。挿入された押さえ環は、一端がフードに係合し、他端が取付リングに係合して、フードを取付リングに固定する。これにより、接着剤を使わなくても簡単にレンズフードを組み立てることができる。
【０００６】
【発明の実施の形態】
以下添付図面に従って本発明に係るレンズフードの取付構造の好ましい実施の形態について詳説する。
図１は第１の実施の形態のレンズフードをレンズ鏡筒に取り付けた状態を示す側面断面図であり、図２は図１の要部拡大図である。
【０００７】
本実施の形態のレンズフード１０は、各種カメラのレンズアッセンブリ１２におけるレンズ鏡筒１４の先端に取り付けられる。このレンズフード１０は、ゴムフード１６と、そのゴムフード１６をレンズ鏡筒１４に取り付けるための取付リング１８、及び、そのゴムフード１６を取付リング１８に固定するための押さえ環２０とから構成されている。
【０００８】
ゴムフード１６は、ゴム製で先端に向かってやや拡がりを持った角型に形成されている。このゴムフード１６の基端部１６Ａは円環状に形成されており、その内周にはフランジ１６Ｂが形成されている。
取付リング１８はプラスチック製で円環状に形成されており、その基端部内周にはフランジ１８Ａが形成されている。フランジ１８Ａの内径はレンズ鏡筒１４の先端部の外径と略同径に形成されており、その基端部側にはテーパ１８ａが形成されている。このテーパ１８ａは、取付リング１８をレンズ鏡筒１４に取り付けると、そのレンズ鏡筒１４の先端部外周に形成されたテーパ状の段部１４Ａに嵌合する。
【０００９】
また、取付リング１８の先端部外周には、前記ゴムフード１６を装着するための段部１８Ｂが形成されており、該段部１８Ｂの外径はゴムフード１６に形成されたフランジ１６Ｂの内径と略同径に形成されている。そして、この段部１８Ｂの端面１８ｂには、図３に示すように、円弧状の凹部１８ＣO 、１８Ｃ1 、…が周方向に沿って多数形成されている。前記ゴムフード１６の基端部端面にも、この凹部１８ＣO 、１８Ｃ1 、…に対応するように円弧状の凸部１６Ｃ、１６Ｃ、…が周方向に沿って多数形成されており、ゴムフード１６を取付リング１８に装着する際は、このゴムフード１６の凸部１６ＣO 、１６Ｃ1 、…を取付リング１８の凹部１８ＣO 、１８Ｃ1 、…に差し込んで装着する。これにより、取付リング１８に取り付けられたゴムフード１６の周方向の回転が規制される。
【００１０】
ところで、図３に示すように、前記取付リング１８に形成されている凹部１８Ｃ、１８Ｃ、…は、その図中左側に位置する三つの凹部１８ＣO 、１８ＣO 、１８ＣO の長さが、他の残りの凹部１８Ｃ1 、１８Ｃ1 、…の長さよりも短く形成されている。ゴムフード１６に形成された凸部１６ＣO 、１６Ｃ1 、…もこれに対応するように三つの凸部１６ＣO 、１６ＣO 、１６ＣO の長さが他の凸部１６Ｃ1 、１６Ｃ1 、…の長さよりも短く形成されている。このように一部の凹部１８ＣO 、１８ＣO 、１８ＣO と凸部１６ＣO 、１６ＣO 、１６ＣO の長さを短く設定することにより、ゴムフード１６を取付リング１８に装着する際、ゴムフード１６を所定の位置に位置決めして取り付けることができる。すなわち、このように一部の凹部１８ＣO 、１８ＣO 、１８ＣO と凸部１６ＣO 、１６ＣO 、１６ＣO の長さを他の凹部１８Ｃ1 又は凸部１６Ｃ1 の長さよりも短く設定することにより、凸部１６ＣO 、１６Ｃ1 、…を凹部１８ＣO 、１８Ｃ1 、…に差し込むことができる位置が一か所に規制され、この結果、ゴムフード１６を取付リング１８の所定の位置に位置決めして取り付けることができるようになる。
【００１１】
なお、位置決めは、ゴムフード１６を取付リング１８に装着した際、取付リング１８に形成されているネジ穴１８Ｅがゴムフード１６の真横の位置に位置するように設定する（図１及び図２では説明の便宜上ネジ穴１８Ｅは取付リング１８の真上の位置に形成されているが、実際には取付リング１８の真横の位置に形成されている。）。このように設定することにより、レンズフード１０をレンズ鏡筒１４に取り付けた際、角型に形成されたゴムフード１６が曲がらず、正規の姿勢で取り付けられる。
【００１２】
押さえ環２０はプラスチック製で円環状に形成されており、その基端部外周にはフランジ２０Ａが形成されている。フランジ２０Ａの外径は、ゴムフード１６の基端部１６Ａの内径と略同径に形成されており、押さえ環２０をゴムフード１６に挿入すると、そのフランジ２０Ａがゴムフード１６の基端部内周に形成されたフランジ１６Ａと係合する。
【００１３】
また、この押さえ環２０の先端部周面には軸線方向に沿って多数のスリット２０Ｂ、２０Ｂ、…が形成されている。このスリット２０Ｂ、２０Ｂ、…は、図４及び図５に示すように押さえ環２０の周面に沿って等間隔に形成されており、このスリット２０Ｂ、２０Ｂ、…があることにより、押さえ環２０の先端部は中心方向の力を受けると弾性変形して中心方向に撓む。そして、その力を解除すると復元力によって元の形状に復帰する。
【００１４】
また、この押さえ環２０の先端部外周には爪２０Ｃが形成されており、該爪２０Ｃは押さえ環２０の先端から基端部に向かって拡径するテーパ状に形成されている。一方、図２に示すように、前記取付リング１８の先端部内周にも同様の爪１８Ｄが形成されており、該爪１８Ｄは取付リング１８の先端から後端に向かって拡径するテーパ状に形成されている。
【００１５】
押さえ環２０は、この取付リング１８の先端部に挿入することにより取付リング１８に固定される。すなわち、取付リング１８の先端部に押さえ環２０の先端部を挿入し押し込むと、その押さえ環２０の先端部に形成された爪２０Ｃが、取付リング１８の先端に形成された爪１８Ｄに押されて縮径しながら挿入されてゆく。そして、この爪２０Ｃが取付リング１８の爪１８Ｄを乗り越えると、復元力によって爪２０Ｃが元の状態に復帰する。この結果、互いの爪２０Ｃ、１８Ｄの終端部同志が係合し、押さえ環２０が取付リング１８から抜けるのが防止される。
【００１６】
前記のごとく構成された第１の実施の形態のレンズフード１０の作用は、次の通りである。
まず、ゴムフード１６の基端部１６Ａに押さえ環２０を挿入する。次いで、ゴムフード１６を取付リング１８に装着する。この際、ゴムフード１６の基端部に形成された凸部１６ＣO 、１６Ｃ1 、…を取付リング１８の先端部に形成された凹部１８ＣO 、１８Ｃ1 、…に位置合わせして差し込み装着する。これにより、取付リング１８の所定の位置にゴムフード１６を装着することができる。
【００１７】
次に、ゴムフード１６の基端部１６Ａに挿入されている押さえ環２０を取付リング１８に向けて押し込む。押さえ環２０は、その先端部に形成されている爪２０Ｃが、取付リング１８の先端に形成されている爪１８Ｄを乗り越えるまで押し込む（カチッと音がするまで押し込む。）。この結果、押さえ環２０の爪２０Ｃの終端部が取付リング１８の爪１８Ｄの終端部に係合するとともに、押さえ環２０の基端部に形成されているフランジ２０Ａがゴムフード１６の基端部に形成されているフランジ１６Ｂと係合する。
【００１８】
以上により組立が終了する。押さえ環２０は、その爪２０Ｃが取付リング１８の爪１８Ｄと係合することによって取付リング１８から抜けるのが防止され、ゴムフード１６は、その基端部に形成されているフランジ１６Ａが押さえ環２０の基端部に形成されているフランジ２０Ａと係合することによって取付リング１８から抜けるのが防止される。この結果、レンズフード１０は全体として一体的に組み付けられる。
【００１９】
組み立てたレンズフード１０は、次のようにしてレンズ鏡筒１４に取り付ける。
まず、レンズフード１０の取付リング１８をレンズ鏡筒１４に装着する。装着された取付リング１８は、その基端部内周に形成されているテーパ１８ａが、レンズ鏡筒１４の外周に形成されているテーパ状の段部１４Ａに嵌合する。
【００２０】
ここで、前記取付リング１８には図２に示すようにネジ孔１８Ｅが形成されており、該ネジ孔１８Ｅにはツマミ２２のネジ部２２Ａが螺合されている。一方、レンズ鏡筒１４の外周には、このツマミ２２のネジ部先端に固着されたピン２２Ｂが嵌合するピン穴１４Ｂが形成されている（図１及び図２では説明の便宜上ピン穴１４Ｂはレンズ鏡筒１４の真上の位置に形成されているが、実際にはレンズ鏡胴１４の真横の位置に形成されている。）。
【００２１】
レンズ鏡筒１４に装着したレンズフード１０は、ピン２２Ｂの位置とピン穴１４Ｂの位置を合わせたのち、ツマミ２２をねじ込んでピン２２Ｂをピン穴１４Ｂを嵌合させる。これにより、レンズ鏡筒１４にレンズフード１０が固定され、その周方向の回転及び軸方向の抜けが防止される。
なお、レンズ鏡筒１４に取り付けられたレンズフード１０は、ゴムフード１６が取付リング１８に対して位置決めされて取り付けられているので、ピン２２Ｂをピン穴１４Ｂを嵌合させれば、常に正しい姿勢でレンズフード１０に取り付けられる。すなわち、角型に形成されているゴムフード１６が周方向にズレて取り付けられたりすることがない。
【００２２】
このように、第１の実施の形態のレンズフード１０によれば、ゴムフード１６を取付リング１８に装着し、押さえ環２０を取付リング１８に押し込むだけで簡単にレンズフード１０を組み立てることができる。
また、従来のように接着剤を用いて組み立てる方法に比べて組立作業が簡略化するので、コストダウンを図ることもできる。
【００２３】
図６は第２の実施の形態のレンズフードをレンズ鏡筒に取り付けた状態を示す側面断面図であり、図７は図６の要部拡大図である。
上述した第１の実施の形態では、レンズ鏡筒１４に装着したレンズフード１０をツマミ２２で固定するようにしていた。第２の実施の形態のレンズフード１０は、バヨネット連結機構を用いてレンズフード１０をレンズ鏡筒１４に固定する。
【００２４】
なお、バヨネット連結機構を用いる点以外は、第１の実施の形態のレンズフード１０と略同じ構成であるので、第１の実施の形態のレンズフード１０と同一又は類似の部材には同一符号を付して、その説明は省略する。
レンズ鏡筒１４の外周面には、図８及び図９に示すように、それぞれ１２０°の角度をもって三箇所にガイド溝３０、３０、３０が形成されている。このガイド溝３０はＬ字状に形成されており、レンズ鏡筒１４の軸線に沿って形成された軸線溝部３０ａと、レンズ鏡筒１４の円周方向に沿って形成された円周溝部３０ｂとから構成されている。そして、軸線溝部３０ａはレンズ鏡筒１４の先端部に開口しており、円周溝部３０ｂは、その途中位置に係合突起３２が形成されている。係合突起３２は、軸線溝部３０ａへの連接部分側が緩やかな緩傾斜面３２ａとなり、溝端部側が急傾斜面３２ｂとなっている。さらに、円周溝部３０ｂの溝端部は垂直壁部３４となっている。
【００２５】
一方、取付リング１８の内面には、図１０〜図１２に示すように、バネ状舌片３８、３８、３８が前記ガイド溝３０と同様に１２０°の角度をもって三箇所に形成されている。これらのバネ状舌片３８は、取付リング１８の内面に沿って円弧状に形成されており、その自由端部側の内側には取付リング１８の内面から半径方向内方に所定量だけ突出する係合凸部４０が形成されている。
【００２６】
ここで、前記係合凸部４０は前記ガイド溝３０に沿ってガイドされるものであり、その円周方向及びこれと直交する方向の寸法はガイド溝３０の溝幅より小さく形成され、しかも、円周溝部３０ｂの急傾斜面３２ｂと垂直壁部３４とによって区画形成される係止部３６より僅かに小さい寸法となっている。この結果、係合凸部４０はガイド溝３０に沿って円滑に係止部３６内にガイドされるとともに、この係止部３６内に位置した状態では、円周方向にも、また、これと直交する方向にも移動しないように位置決めされる。
【００２７】
前記のごとく構成された第２の実施の形態のレンズフード１０の作用は、次の通りである。
まず、レンズフード１０の係合凸部４０をレンズ鏡筒１４のガイド溝３０の軸線溝部３０ａに嵌め込む。そして、そのレンズフード１０をレンズ鏡筒１４に対して所定量押し込み、その後、レンズフード１０を所定量回転させる。なお、この時のレンズフード１０の回転方向は、取付リング１８に設けたバネ状舌片３８の自由端側が前側となるように回転させる（図１０において時計回りの方向に回転させる。）。
【００２８】
これにより、係合凸部４０が緩傾斜面３２ａから係合突起３２に乗り上げる。なお、このときバネ状舌片３８は半径方向外方に撓む。そして、この状態でレンズフード１０の回動を継続すると、係合凸部４０は急傾斜面３２ｂに沿って移動し、係合突起３２を乗り越える。係合突起３２を乗り越えた係合凸部４０は、係止部３６内に位置し、これにより、レンズフード１０がレンズ鏡筒１４に連結される。
【００２９】
このように、第２の実施の形態のレンズフード１０によれば、レンズフード１０をレンズ鏡筒１４に嵌め込んで、所定量回転させるという簡単な操作により、レンズフード１０をレンズ鏡筒１４に取り付けることができる。また、レンズフード１０を取り外すときは、上記の操作と逆の操作を行えばよく、簡単に取り外すことができる。
【００３０】
また、バヨネット連結機構を構成する係合部材及びこの係合部材を係合した状態に保持させるための付勢手段を、それぞれ連結される二つの部材に一体的に設けているので、部品点数が少なくなり、構造の簡略化を図ることができる。
【００３１】
【発明の効果】
以上説明したように本発明に係るレンズフードの取付構造よれば、レンズフードを簡単に組み立てることができるとともに、組み立てたレンズフードを簡単にレンズ鏡筒に取り付けることができる。
【図面の簡単な説明】
【図１】第１の実施の形態のレンズフードをレンズ鏡筒に取り付けた状態を示す側面断面図
【図２】図１の要部拡大図
【図３】取付リングの正面図
【図４】押さえ環の側面断面図
【図５】押さえ環の正面図
【図６】第２の実施の形態のレンズフードをレンズ鏡筒に取り付けた状態を示す側面断面図
【図７】図６の要部拡大図
【図８】鏡筒の正面部分断面図
【図９】鏡筒の側面部分断面図
【図１０】取付リングの正面図
【図１１】取付リングの側面断面図
【図１２】取付リングの背面図
【符号の説明】
１０…レンズフード
１２…レンズアッセンブリ
１４…レンズ鏡筒
１６…ゴムフード
１６Ｂ…フランジ
１６ＣO 、１６Ｃ1 …凸部
１８…取付リング
１８Ａ…フランジ
１８ＣO 、１８Ｃ1 …凹部
１８Ｄ…爪
２０…押さえ環
２０Ａ…フランジ
２０Ｂ…スリット
２０Ｃ…爪
２２…ツマミ
３０…ガイド溝
３２…係合突起
３６…係止部
３８…バネ状舌片
４０…係合凸部
【図１】
0003972349.tif 000002
【図２】
0003972349.tif 000003
【図３】
0003972349.tif 000004
【図４】
0003972349.tif 000005
【図５】
0003972349.tif 000006
【図６】
0003972349.tif 000007
【図７】
0003972349.tif 000008
【図８】
0003972349.tif 000009
【図９】
0003972349.tif 000010
【図１０】
0003972349.tif 000011
【図１１】
0003972349.tif 000012
【図１２】
0003972349.tif 000013